(57)【要約】  例示のディスペンサシステムは、内部に複数の配合物が格納された複数のコンパートメントを有するトレイを含むことができ、複数の配合物のうちの少なくとも１つは、複数の配合物のうちの別の１つとは異なることができる。配合物は、洗浄剤または芳香剤のうちの１つ以上を含むことができる。ハンガは、便器の縁からトレイを吊設するように構成されることができる。複数の配合物のうちの少なくとも１つは、複数の配合物の別の１つとは異なる色を有することができる。
2017526839.tif 000002
【特許請求の範囲】
【請求項１】
トイレを処理するためのディスペンサシステムであって、前記ディスペンサシステムが、
処理組成物を収容している複数のコンパートメントを少なくとも部分的に包囲する縁を有するトレイであって、各コンパートメントが、洗浄水に対して閉ざされるように構成された第１の側と、洗浄水に対して開かれるように構成された第２の側とを有し、前記第２の側が、前記処理組成物を受け入れるためのアパーチャを画定する、トレイと、
前記トレイを便器の縁から吊設するように構成されたハンガと、各コンパートメントの前記アパーチャを封止するために前記縁に結合され、使用前にユーザによって取り除かれるように構成されたカバーと、
を備える、ディスペンサシステム。
【請求項２】
前記処理組成物のうちの少なくとも１つが、透明または半透明のゲル材である、請求項１に記載のディスペンサシステム。
【請求項３】
前記透明または半透明のゲル材を収容している前記複数のコンパートメントの各々もまた透明または半透明であり、それによって、前記透明または半透明のゲルが、前記複数のコンパートメントの各々を通して視認可能であるようにされる、請求項２に記載のディスペンサシステム。
【請求項４】
前記カバーが、前記透明または半透明のゲルの後ろに反射面を提供する、請求項３に記載のディスペンサシステム。
【請求項５】
前記トレイに固定され、前記複数のコンパートメントのうちの少なくとも１つの開口部を少なくとも部分的に覆うケーシングをさらに備え、
前記ケーシングが、洗浄水が前記処理組成物と相互作用することを可能にする前記複数のコンパートメントの少なくとも一つに設けられた前記開口部を覆う領域に開口する開口部を画定する、請求項１に記載のディスペンサシステム。
【請求項６】
前記ケーシングが、前記複数のコンパートメントのすべての前記開口部を少なくとも部分的に覆う、請求項５に記載のディスペンサシステム。
【請求項７】
前記ケーシングにおける前記開口のサイズが、前記複数のコンパートメントにわたって合計した前記開口のサイズの約４０パーセント〜６０パーセントである、請求項５に記載のディスペンサシステム。
【請求項８】
前記ハンガが、止め輪と一体成形され、前記トレイの少なくとも１つのコンパートメントが、前記止め輪を通して延びる、請求項１から請求項７の何れか一項に記載のディスペンサシステム。
【請求項９】
前記トレイが、奇数個のコンパートメントを備え、中央位置の前記コンパートメントが、前記止め輪を通して延びる、請求項８に記載のディスペンサシステム。
【請求項１０】
前記複数のコンパートメントのうちの少なくとも１つの前記処理組成物が、前記複数のコンパートメントのうちの別の１つの前記処理組成物とは異なる、請求項１から請求項９の何れか一項に記載のディスペンサシステム。
【請求項１１】
前記処理組成物に含まれる複数の配合物のうちの少なくとも１つが、前記複数の配合物のうちの別の１つとは異なる色を有する、請求項１０に記載のディスペンサシステム。
【請求項１２】
前記複数のコンパートメントの各々が、涙滴形状である、請求項１から請求項１１の何れか一項に記載のディスペンサシステム。
【請求項１３】
前記複数のコンパートメント内にそれぞれ収容されている前記処理組成物が、前記トレイの前記縁から内向きに所定の間隔を隔てて配置されることで、ヘッドスペースを画定する、請求項１から請求項１２の何れか一項に記載のディスペンサシステム。
【請求項１４】
前記処理組成物が、前記複数のコンパートメントの各々の５０％〜９５％を充填して、前記ヘッドスペースを形成する、請求項１３に記載のディスペンサシステム。
【請求項１５】
前記ケーシングが、前記トレイに対して移動可能である、請求項５に記載のディスペンサシステム。
【請求項１６】
前記ケーシングを前記トレイと接続させるヒンジをさらに備え、前記ヒンジが、前記ケーシングを前記トレイに対して移動させるために開かれるように構成される、請求項１５に記載のディスペンサシステム。
【請求項１７】
前記カバーが、前記トレイと前記ケーシングとの間に置かれ、それによって、前記ケーシングが前記トレイに対して動かされたときに、前記カバーが、使用前に前記ユーザによって取り除かれることができるようにされる、請求項１６に記載のディスペンサシステム。
【請求項１８】
ディスペンサシステムを形成する方法であって、
少なくとも１つのコンパートメントを有するトレイを形成することであって、流体に対して閉じられた第１の側と、流体に対して開かれた第２の側とを有する前記コンパートメントを形成し、前記第２の側にアパーチャを設けて、前記コンパートメントに処理組成物を供給する、形成することと、
便器の縁から前記トレイを吊設するように構成されたハンガを設けることと、
前記アパーチャを覆うために、前記トレイにケーシングを装着することと、流体を前記処理組成物に含まれる配合物と相互作用させて、前記配合物を前記流体に溶解させることを可能にするために、前記ケーシングに少なくとも１つの開口部を設けることと、
前記コンパートメントの前記アパーチャを、使用前にユーザによって取り除かれるように構成されたカバーで封止することと、
を含む、方法。
【請求項１９】
前記ケーシングを平らに形成することと、流体を受け入れ、前記アパーチャの中へと導いて前記処理組成物と相互作用させるように構成された複数の開口部を前記ケーシングに設けることとをさらに含む、請求項１８に記載の方法。
【請求項２０】
前記ハンガをクリップと一体成形することと、前記クリップを、前記トレイから取り外し可能に構成することとをさらに含む、請求項１８または請求項１９に記載の方法。
【請求項２１】
前記トレイに複数のコンパートメントを設けることと、前記複数のコンパートメントを複数の処理組成物で充填することとをさらに含み、前記複数のコンパートメントの各々が、第１の側と第２の側とを有し、前記第１の側が、流体に対して閉じられ、前記第２の側が、流体を受け入れるためのアパーチャを画定する、請求項１８から請求項２０の何れか一項に記載の方法。
【請求項２２】
前記複数の処理組成物のうちの少なくとも１つを前記複数の処理組成物の別の１つとは異なるように形成することをさらに含む、請求項２１に記載の方法。
【請求項２３】
複数の前記コンパートメントがそれぞれ有する個々の前記アパーチャを前記ケーシングで覆うことと、流体が複数の前記処理組成物と相互作用することを可能にするために、前記ケーシングに複数の開口部を設けることとをさらに含む、請求項１９から請求項２２の何れか一項に記載の方法。
【請求項２４】
前記ケーシングに設けられた複数の前記開口部が、前記アパーチャにわたる開口面積を画定し、前記開口面積が、前記アパーチャの総面積の４０％〜６０％におよぶ、請求項２１から請求項２３の何れか一項に記載の方法。
【請求項２５】
前記コンパートメント内の前記処理組成物が、前記ケーシングから所定の間隔を隔てて配置されることで、ヘッドスペースを画定する、請求項１８に記載の方法。
【請求項２６】
前記複数のコンパートメントの各々における少なくとも５０％〜９５％を前記処理組成物で充填することをさらに含む、請求項２３に記載の方法。
【発明の詳細な説明】
【技術分野】
【０００１】
＜関連出願の相互参照＞
本出願は、２０１４年９月８日出願の米国特許出願第６２／０４７，３１２号、２０１４年１２月１６日出願の米国特許出願第６２／０９２，６９４号、２０１５年３月３０日出願の米国特許出願第６２／１４０，１２０号の優先権を主張し、これらのすべては、その全体が本明細書で完全に記載されているとして組み込まれる。
【０００２】
本開示は、現在は米国特許第７，７０９，４３３である米国特許出願第１１／６７３，６６１号、現在は米国特許第８，１４３，２０５号である米国特許出願第１２／３８８，５７６号、及び現在は米国特許第８，６５８、５８８号である米国特許出願第１３／３７４，７００号に関し、これらのすべては、参照によりその全体が本明細書で完全に記載されているとして組み込まれる。
【０００３】
本開示全体として、製品に含まれる処理剤をトイレの便器内に分注するための装置に関する。特に、トイレで水が流されると製品に含まれる処理剤が便器内に直接分注されるようにする装置であると共に、便器の縁に掛けられるように適合された装置に関する。
【背景技術】
【０００４】
トイレ等のバスルーム器具の表面を処理する（例えば洗浄、消毒、脱臭、芳香付与等）ための薬剤は、固形、ペースト、ゲル、粉末及び液体の形状であることができる。スクイズボトル内に送達された液体配合物は、器具の周期的な処理を可能にしており、通常は、器具が洗浄されることになるたびに、消費者が衛生剤を再度適用することを必要とする。消費者により少ない時間を要求する他の製品は、器具の自動的または連続的な処理を可能にしている。
【０００５】
縁ブロックは、トイレ等の器具において水が流されるたびに行われる連続的な処理のための解決策である。例えば、さまざまな成分を含有する分解性ブロックは、トイレまたは小便器の洗浄、消毒及び／または脱臭を行うために、及び／または芳香剤として用いられることができる。そのような分解性ブロックは、通常は、トイレまたは小便器の水タンク（貯水タンクとしても周知である）に浸されるか、または何らかのホルダに位置し、その後便器または小便器の「縁下」（ＵＴＲ）に据えられる。一度貯水タンク内かあるいは便器または小便器内に設置されると、ブロックは有効成分をゆっくりと放出し、水中で分解する。貯水タンク内に設置された分解性ブロックの場合、ブロックは貯水タンクの底まで低下して、その後絶えず水に浸かっていることがある。そのような水との絶え間ない接触状態は、分解性ブロックが有効成分を放出して、適切な速度で分解することを確実にするために、ある特定のタイプの配合物を必要とする。ＵＴＲ製品の場合では、そのような分解性ブロックは、トイレで水が流されるたびに分解して有効成分を放出し、ブロックは洗浄水で洗い流される。多くの分解性ブロックは、ブロックをディスペンサ内に置くことによるか、あるいは単にブロックをタンク内に置くことによって、トイレタンク（貯水タンク）内に位置し得る。また、自動的または連続的な洗浄は、器具またはトイレの縁から吊設するかごに衛生剤を吊り下げることによってもたらされ得る。
【発明の概要】
【０００６】
本概要は、以下の詳細な説明でさらに説明される、本開示に関するいくつかの大まかな概念に対する概説を、簡易な形で提供する。本概要は、本開示の主要な特徴または必須の特徴を特定することが意図されていない。
【０００７】
本明細書での開示の態様は、材料配合物を受け入れるための１つ以上のコンパートメントを有するディスペンサに関する。配合物は、異なる機能を提供するために互いに異なるものであってもよく、または互いに同様のものであってもよい。例えば、配合物は、洗浄剤または芳香剤のうちの１つ以上を含むことができ、ゲル、ペーストまたは固形形状であることができ、消費者にアピールするように異なる色を付けることができる。ハンガは、便器の縁からトレイを吊設するように構成されることができる。一例では、カバーは、包装に組み込まれることができ、それによって、トレイが包装から取り除かれると、少なくとも１つのコンパートメントが露出するように構成される。加えて、ある特定の例では、トレイ及び少なくとも１つのコンパートメントは、透明であることができ、かつ包装の一部を形成することができる。
【０００８】
別の例では、ディスペンサシステムは、配合物を有する少なくとも１つの涙滴形状のコンパートメントを有するトレイを含み得る。コンパートメントは、流体を受け入れるためのアパーチャを含んでもよく、配合物は、洗浄剤または芳香剤のうちの一方を含んでもよい。ハンガは、便器の縁からトレイを吊り下げるために設けられることができる。流体が配合物と相互作用して、配合物を流体に溶解させることを考慮して、少なくとも１つのコンパートメントの少なくとも一部と、配合物の少なくとも一部とを覆うように構成されたケーシングがさらに設けられてもよい。一例では、トレイ及びカバーは、熱形成されることができる。別の例では、トレイは、熱形成されることができ、ケーシングは、射出成型されることができる。代替的に、トレイ及びカバーは、両方とも射出成型されることができる。ある特定の例では、ヒンジがケーシングをトレイと接続させることができ、ヒンジは、トレイからケーシングを取り除くために開くように構成されることができる。
【図面の簡単な説明】
【０００９】
前述の概要に加えて、以下に続く詳細な説明は、添付の図面とともに考察された場合によりよく理解され、図面においては、同様の参照番号は、参照番号が表示される種々の図のすべてにおいて同じまたは類似の要素を指す。これから、本開示の例示的な実施形態が、例のみとして、添付の図面を参照して説明される。
【００１０】
【図１Ａ】例示のディスペンサの正面図を図示する。
【図１Ｂ】代替の包装配置での例示のディスペンサの正面図を図示する。
【図２Ａ】他の例示のディスペンサを図示する。
【図２Ｂ】他の例示のディスペンサを図示する。
【図２Ｃ】他の例示のディスペンサを図示する。
【図３Ａ】他の例示のディスペンサを図示する。
【図３Ｂ】他の例示のディスペンサを図示する。
【図３Ｃ】他の例示のディスペンサを図示する。
【図３Ｄ】他の例示のディスペンサを図示する。
【図３Ｅ】他の例示のディスペンサを図示する。
【図３Ｆ】他の例示のディスペンサを図示する。
【図３Ｇ】他の例示のディスペンサを図示する。
【図４Ａ】他の例示のディスペンサを図示する。
【図４Ｂ】他の例示のディスペンサを図示する。
【図４Ｃ】他の例示のディスペンサを図示する。
【図４Ｄ】他の例示のディスペンサを図示する。
【図４Ｅ】他の例示のディスペンサを図示する。
【図４Ｆ】他の例示のディスペンサを図示する。
【図４Ｇ】他の例示のディスペンサを図示する。
【図４Ｈ】他の例示のディスペンサを図示する。
【図４Ｉ】他の例示のディスペンサを図示する。
【図５Ａ】他の例示のディスペンサを図示する。
【図５Ｂ】他の例示のディスペンサを図示する。
【図５Ｃ】他の例示のディスペンサを図示する。
【図５Ｄ】他の例示のディスペンサを図示する。
【図６Ａ】他の例示のディスペンサを図示する。
【図６Ｂ】他の例示のディスペンサを図示する。
【図６Ｃ】他の例示のディスペンサを図示する。
【図６Ｄ】他の例示のディスペンサを図示する。
【図６Ｅ】他の例示のディスペンサを図示する。
【図６Ｆ】他の例示のディスペンサを図示する。
【図７】他の例示のディスペンサを図示する。
【図８】他の例示のディスペンサを図示する。
【発明を実施するための形態】
【００１１】
以下に続く本開示によるさまざまな構成例の説明では、本書の一部を形成する添付の図面について参照がなされ、これらの図面において本開示によるさまざまな構造が例証として示される。加えて、他の部品の特定の配置及び構造を用いてもよく、また本開示の範囲から逸脱することなく、構造的及び機能的変更がなされてもよいことが理解されよう。また、本明細書においては、本発明のさまざまな例示の特徴及び要素を説明するために、「上部（ｔｏｐ）」、「底部（ｂｏｔｔｏｍ）」、「上側（ｕｐｐｅｒ）」、「下側（ｌｏｗｅｒ）」、「後部（ｒｅａｒ）」、「前部（ｆｒｏｎｔ）」等の用語が用いられる場合があるが、これらの用語は、本明細書では便宜上で、例えば、図面で示された例の向き及び／または通常の使用での向きに基づいて用いられる。本明細書におけるいずれもが、本発明の範囲内に入るために構造の特定の三次元的または空間的な方向付けを必要とするとして解釈されるべきではない。また、本開示の図面は、１つ以上の実施形態に従った縮尺及び／または寸法を表す場合があり、それ自体がそのような寸法的倍率の教示に寄与する場合がある。しかしながら、当業者においては、本明細書における開示は、図に示された縮尺、寸法、比率、及び／または向きに限定されないことが容易に理解されよう。
【００１２】
図１Ａ及び１Ｂは、例示のディスペンサ１００を図示する。例示のディスペンサ１００は、トイレに装着されたときに、トイレで水が流されるたびに連続的な処理（例えば洗浄、消毒、脱臭及び／または芳香剤等）を提供するように構成される。図１Ａは、第１の製品包装用配置でのディスペンサ１００を示し、図１Ｂは、第２の製品包装配置でのディスペンサを示す。図１Ａ及び図１Ｂからわかるように、ディスペンサ１００は、トイレ縁ブロックとしての形状を有することができ、縁１２２を形成する壁１２０を有する本体またはトレイ１０２と、視覚的に分離した個別のコンパートメント１０４の列とを含むことができる。
【００１３】
別のコンパートメント１０４は、ゲル、ペースト、及び／または固形の形状であることができる処理組成物または材料１１２の個別のセクションを受け入れるように構成されることができる。材料１１２は、トイレからの洗浄水に曝されると１つ以上の機能を提供するように配合される。例えば、材料１１２は、トイレ及び／またはその周囲を洗浄、消毒、脱臭し、かつ／またはそれに芳香を付与するように構成され得る。材料１１２は、便器内部の水を着色し、及び／またはユーザに要求され得る任意の他の機能を提供するように構成されることができる。また、材料１１２の各セクションまたはブロックは、材料１１２の他の配合物と同じ機能を提供することができるか、または異なる機能を提供することができる。例えば、第１の製品形態では、材料１１２の配合物のすべてが、トイレを洗浄し、トイレに芳香を付与するように配合され得るが、第２の製品形態では、材料１１２の１つ以上の配合物が、洗浄のために配合されてもよく、材料１１２の残りの配合物が、芳香を提供するために配合されてもよい。両方の場合において、材料１１２は、消費者にアピールするために、異なる色及び／または芳香剤で提供されることができる。材料の各セクションまたはブロックは、異なる材料及び／または化学配合物（例えば、異なるまたは追加の有効成分及び／または添加剤）、及び／または形態（例えば、１つのブロックについてはゲルもしくは固形材料、または他についてはペースト材料）を有することができる。一例では、トレイ１０２は、材料で予め充填されて包装されることができる。さらに、ユーザが充填キット及び／または他の材料供給源、例えばボトル、タンク、またはユーザが他の場所に格納し得る容器であって、より大量の材料を格納する容器を用いて、トレイ１０２を家で充填することができることが企図される。トレイ１０２は、カバー１１０を備えることができ、これは、使用前に水分及び臭気または芳香剤に対するバリヤを設けることによって、材料１１２の個別のセクションを封止する。一例では、カバー１１０は、壁１２０の縁１２２に封止されることができる。
【００１４】
ディスペンサ１００は、使用中の便器にディスペンサ１００を吊設するためのフックまたはハンガ１０６をさらに備えることができる。図１Ｂに示されるように、フックまたはハンガ１０６は、ディスペンサ１００の上部に近い位置に取り付けられることができる。フックまたはハンガ１０６は、便器の縁の前部または後部に取り付けられてもよい。使用中、トレイ１０２は、個別のコンパートメント１０４及び材料１１２の個別のセクションが、便器に水を流したときに水に曝され、それによって材料１１２の個別のセクション内の配合物が、便器の水の中に放出されるように配置されることができる。代替の例では、本体１０２には、穴または開口部を付加的に設けることができ、便器に水を流したときに当該穴またはアパーチャを通って水が本体１０２に入りかつ／または本体１０２から出るようにすることができる。
【００１５】
個別のコンパートメント１０４は、長円形状または楕円形状であることができる。しかしながら、例えば円形、矩形、三角形、球形、涙滴形等の他の形状が企図される。一例では、個別のコンパートメント１０４は、水平な横列で配置されることができる。ディスペンサ１００の個別のコンパートメント１０４は、垂直な縦列で、または斜め方向（垂直および水平に対して対角線方向）に沿った姿勢で配置されることができることがさらに企図される。加えて、本体１０２は、便器の湾曲に適応するための自由度をもって形成されることができ、便器の湾曲に適応するための所定の湾曲度をさらに含んでもよい。
【００１６】
本体１０２及びフック１０６は、別個の成形作業で、または単一の成形作業で、以下により詳細に述べられるような好適な材料、例えば、熱形成プラスチックを含むがこれに限定されない、柔軟または堅固なプラスチックから形成されることができる。加えて、本体１０２、コンパートメント１０４、及びハンガ１０６は、熱形成または射出成型によって形成されることができる。本体１０２及びコンパートメント１０４を形成するために用いられる材料は、コンパートメント１０４を高温の溶液で充填して材料１１２を形成することができるように、７０℃の配合物／材料の温度に適した材料で形成され得る。
【００１７】
図１Ａ及び図１Ｂに示された例では、ディスペンサ１００の使用前に、ユーザは、本体１０２からカバー１１０を外して、個別のコンパートメント１０４内に配設された材料１１２を露出させる。そして、ユーザは、トイレの縁の上に、本体１０２を支持するハンガ１０６を置いて、それによって、個別のコンパートメント１０４内に配設された材料１１２が、便器に向かって内側に向くか、または便器から外側に向くようにされる。トイレで水が流されると、水は、個別のコンパートメント内の材料１１２に接触し、材料１１２を溶解させて、便器の中に放出させる。このように、トイレで水が流されるたびに、材料１１２は、連続的な方法で便器を処理することができる。特に、材料１１２のセクションまたはブロックは、材料１１２のセクションごとの特定の配合物によって、汚れを取り除き、臭気を取り除き、トイレを消毒する、トイレの水を着色する、かつ／またはユーザに芳香を提供するための助けとなり得る。
【００１８】
図１Ａに示されるように、一例では、販売中のディスペンサ１００の外観を改善し、見込まれる消費者の目に付くようにすることを助けるために、本体またはトレイ１０２は、カバー１１０に装着されることができ、これは、トレイ１０２の開口部を封止するためのフィルムまたはバッキングであることができる。カバー１１０は、個別のコンパートメント１０４内の材料１１２と組み合わせて、ディスペンサ１００が消費者製品として包装されて目に付くようにすることを助けることができる。一例では、トレイ１０２は、透明または半透明の材料で形成され、材料１１２は、透明または半透明のゲルとして形成される。そのような例では、カバー１１０は、箔／リッドストック、または材料１１２のための反射性及び／または対照的な背景を提供する他の着色された材料で形成される。このように、消費者がディスペンサ１００を購入するときに、ユーザは、トレイ１０２を通して材料１１２を見ることが可能であり、カバー１１０は、ディスペンサ１００内の材料１１２を強調表示することを助ける。例えば、カバー１１０の表面仕上げは、ディスペンサ１００がトイレに設置されたときよりも、材料１１２が販売中により明るく、またはより輝いて見えることを可能にし得る。別の例では、材料１１２は異なる色を有し、消費者は、異なる色に着色された材料１１２を容易に見て、異なる材料がコンパートメント１０４内に配設されている場合には、材料１１２のセクションまたはブロックの各々が異なる機能を果たすことを推測し得る。
【００１９】
一例では、カバー１１０は、多層の箔、金属被覆されたバリヤフィルム、例えばアルミニウム箔、プラスチックフィルム、またはこれらの組み合わせ等の金属箔で作製されることができる。プラスチックフィルムを形成するために用いられるポリマーの例は、ポリエチエレン、ポリプロピレン、ポリエチエレンテレフタレート、ポリブチレンテレフタレート、ポリエチエレンナフタレート、ポリエステル、ポリカーボネート、ポリスチレン、アクリル、ポリウレタン、ポリ塩化ビニル、フッ化ビニル樹脂、及びこれらの混合物及びコポリマーを含むが、これらに限定されない。一実施形態では、カバー１１０は、カバー１１０の取り除きを容易にするために用いられることができるタブ（図示せず）を有するように形成されることができる。カバー１１０は、生分解性または他の環境配慮型の材料で形成されることができることがさらに企図される。
【００２０】
別の例では、図１Ｂに示されるように、カバー１１０は、二次包装１０８に組み込まれることができ、これは、ボール紙の裏装、ブリスタカード、またはカードストックであることができ、本体１０２は、二次包装１０８に直接装着されることができる。本例では、ディスペンサ１００を用いるために、ユーザは、二次包装１０８から本体またはトレイ１０２を剥離して、材料１１２を露出させる。本例では、カバー１１０が二次包装１０８内に組み込まれているため、個別のコンパートメント１０４内の材料１１２を封止するために本体またはトレイ１０２に適用される別個の封止処理を必要としない。加えて、二次包装１０８を本体またはトレイ１０２に直接装着し、本体１０２を外側に向けて配置することは、トレイ１０２を覆うための包装の外側の別個のブリスタカードの必要性を取り除く。したがって、本例では、本体またはトレイ１０２自体がブリスタカードとして機能することができ、包装コストを削減することができる。
【００２１】
ディスペンサ１００は、カバー１１０が取り除かれたときに、ユーザがトレイ１０２の中身を誤って取り除くことがないように設計されることができる。一例では、個別のコンパートメント１０４は、ユーザがトレイ１０２から材料１１２を誤って取り除くことがないように、トレイ１０２を部分的に、またはトレイの縁１２２の近くを充填することができる。別の例では、カバー１１０は、トレイ１０２の材料１１２が付着しない低摩擦面を有することができるか、またはカバー１１０は、カバー１１０と材料１１２との間の結合強度が、材料１１２とトレイ１０２との間の結合強度よりも弱くなるように、材料１１２を接着することができる。ユーザが材料１１２を誤って取り除くことを防止するために、カバー１１０上または材料１１２上にコーティングまたはさらなる層を含んで、カバー１１０と材料１１２との間の接着材の所要量を低減させることがさらに企図される。
【００２２】
加えて、１つ以上の傾斜をトレイの上部に組み込んで、トレイの中及びその上に水を導き、コンパートメント内に配設された材料が十分に水に曝されることを確実にすることができる。
【００２３】
別の例では、個別のコンパートメント及び材料は、消費者を引き付けるために、代替の装飾的な形状で形成されることができる。例えば、コンパートメント及び材料の形状は、図形標識、記号、会社ロゴ、デザイン、レタリング等の形状で形成されることができる。さらに、上記の例に加えて、材料はまた、押出シリンダ、コイン、及び／またはブロックの形状であることができる。また、材料は互い違いの色または層状の色を有することもできる。
【００２４】
図２Ａ〜図２Ｃは、他の例となるディスペンサ２００を図示し、図１Ａ及び図１Ｂに関連して説明された例示のディスペンサと同様であり、同図においては、同様の要素を識別するために同様の参照番号を用いている。図２Ａは、例示のディスペンサ２００の正面図を示す。図２Ｂは、ディスペンサ２００の背面図を示す。図２Ｃは、ディスペンサ２００の右側面図を示す。例示のディスペンサ２００は、図１Ａ及び図１Ｂに関連して説明されたディスペンサと同様の特徴を有するが、しかしながら、本例では、例えば膜、フィルム等（図示せず）のトレイ２０２及び任意のケーシングの両方が、熱形成されることができ、例えば１つ以上の材料シートの形状のプラスチック材料から、プラスチック材料を可鍛形成温度まで加熱して、それによってプラスチック材料が、ディスペンサ２００及びケーシングの形状の型の特定の形状に形成されることができるようにすることによって形成されることができる。材料は、任意の好適なプラスチックから、任意の所望の色で形成されることができるか、または本明細書で述べられた例のように、透明または半透明のプラスチック材料で形成されることができる。一度形成されたディスペンサ２００及びケーシングを調整して、最終製品を製作してもよい。
【００２５】
上述の例のように、例示のディスペンサ２００は、トイレに装着されると、トイレで水が流されるたびに連続的な処理を提供するように構成される。ディスペンサ２００は、個別のコンパートメント２０４の列を含む本体またはトレイ２０２と、壁２２０とをさらに含むことができる。ディスペンサ２００は、フックまたはハンガ２０６をさらに備えることができ、これはディスペンサ２００の上部の近くに取り付けられることができる。
【００２６】
上記の例と同様に、図２Ｂに示されるように、個別のコンパートメント２０４は、一側で開かれて形成されて、ゲル、ペースト、及び／または固形の形状であることができる材料２１２の個別のセクションを受け入れるように構成されることができる。しかしながら、本例では、クリアであるか、不透明であるか、または着色されることができる任意のケーシング（図示せず）が、個別のコンパートメント２０４上に位置することができる。本例では、ケーシングは、使用中はディスペンサ２００上に留まることが意図され、便器からの流体が材料２１２の個別のセクションと相互作用することを考慮した開口部（図示せず）を備えてもよい。ケーシングは、熱形成または他の製造技術に好適な任意の材料で形成されることができ、本明細書で述べられた材料のいずれかで形成されてもよい。
【００２７】
加えて、ディスペンサの反対側に開口部を設けることなしに個別のコンパートメント２０４を形成して、材料２１２のセクションがトイレの水に溶解する速度を制御することができる。コンパートメント２０４はさらに、消費者をディスペンサ２００の購入に引き込むために、ディスペンサ２００の外観を向上させるための装飾的なパターンまたは形状を備えることができる。代替的に、本明細書で述べられたある特定の例と同様に、コンパートメント２０４の両側に、開口部をさらに設け、材料２１２をより迅速な速度で便器内部に放出することを可能にすることができる。
【００２８】
本例では、個別のコンパートメント２０４は、涙滴形状で形成されることができる。しかしながら、本明細書での開示に従って、任意の他の形状が企図される。個別のコンパートメント２０４の涙滴形状は、ディスペンサ２００の流体力学的形状をもたらし、ディスペンサ２００上に流される水が、ディスペンサ２００をトイレの縁からトイレ内に向けて押し退けることがなく、一方で個別のコンパートメント２０４及び各自の材料２１２のセクションが十分に水に曝されることを確実にする。
【００２９】
材料２１２は、使用中にトイレからの水に曝されると、処理剤を放出する。本例では、図２Ｂに示されるように、コンパートメント２０４は、２つの異なる配合物及び色の互い違いの材料２１２を備えることができる。しかしながら、材料２１２の各セクションまたはブロックは、異なる機能（例えば洗浄、芳香剤等）を提供することができ、消費者にアピールするために異なる色及び／または芳香剤により提供されることができる。一例では、材料２１２は、個別のコンパートメントの総容積の１００％未満を充填してもよい。特に、個別のコンパートメント２０４は、個別のコンパートメント２０４の約５０％〜９５％まで充填されてもよい。これによって、水を個別のコンパートメント２０４内に進入させ、材料２１２の個別のブロックを溶解させることを考慮して、任意のケーシングと、材料２１２の個別のブロックとの間にヘッドスペースが作り出される。
【００３０】
壁２２０は、個別のコンパートメント２０４を支持する。加えて、図２Ａ〜図２Ｃに示されるように、縁２２２には、１つ以上の平ら面２３２を備えるトレイ２０２を設けることができ、これは、包装内のトレイ２０２を封止するための封止面を形成することができる。図２Ａに示されるように、壁２２０は、個別のコンパートメント２０４の上部に対応することができる起伏をもって形成されることができる。壁２２０及び起伏は、ディスペンサ２００の前部及び後部の周囲に水を導くことを助ける。水は、ディスペンサの後部に導かれると、材料２１２の各セクションまたはブロックと相互作用して、処理剤を溶解させて放出することができる。
【００３１】
フックまたはハンガ２０６は、射出成型されることができ、便器の縁の前部または後部に取り付けられて、便器内にディスペンサ２００を吊設し得る。本例では、ディスペンサ２００は、ハンガ２０６の一端を受け入れるためのスロット２３０を備えることができる。図２Ｃにさらに示されるように、ハンガの端は、ハンガ２０６がディスペンサ２００から外れることを防止するための屈曲部またはテーパ状部２０７をさらに備えてもよい。本例では、ハンガ２０６は、止め輪２７２に取り付けられることができ、これは、止め輪２７２及びハンガ２０６をトレイ２０２に固定するための１つ以上のタブ２７４を有する。
【００３２】
示された向きにおいては、材料２１２のブロックは便器に向いているが、ハンガ２０６は、反対向きでディスペンサ２００に取り付けられることができることが企図される。また、以下の例によって述べられるように、ある特定の場合には、材料のブロックが便器の中央に向かって内側を向き、それによって消費者は洗浄水がコンパートメントに入って材料２１２と相互作用することを見ることができるように、ディスペンサ２００を構成することが望まれる場合がある。
【００３３】
図３Ａ〜３Ｇは、他の例示のディスペンサ３００を図示し、図２Ａ〜図２Ｃに関連して説明された例示のディスペンサと同様であり、同図においては、同様の要素を識別するために同様の参照番号を用いている。図３Ａは、例示のディスペンサ３００の正面図を示す。図３Ｂは、ディスペンサ３００の上面正面斜視図を示す。図３Ｃは、例示のディスペンサ３００の右側面図を示す。図３Ｄは、ディスペンサ３００の底面背面斜視図を示す。図３Ｅは、ディスペンサ３００の背面図を示す。図３Ｆは、例示のディスペンサ３００の正面左斜視図を示す。図３Ｇは、例示のディスペンサ３００の上面背面左斜視図を示す。
【００３４】
例示のディスペンサ３００は、上記のディスペンサと同様の特徴を有する。しかしながら、本例では、トレイ３０２及びケーシング３５０は、１つのコンポーネントまたはユニットとしてともに射出成型されることができる。ディスペンサを形成する材料は、任意の好適なプラスチックによって、任意の所望の色で形成されることができるか、または本明細書で述べられた例のように、透明または半透明のプラスチック材料で形成されることができる。また、本例では、図３Ｄ及び図３Ｂに示されるように、ディスペンサ３００は、便器の湾曲の半径に一致する曲率半径を含むように形成されることができる。
【００３５】
また、本例では、ケーシング３５０は、個別のコンパートメント３０４の各々を覆うように、トレイ３０２の上に位置する。ケーシング３５０は、個別のコンパートメント３０４の各々の前部の上に位置することができ、一連の開口部（またはスリット）３０９を備えて、それによって、消費者が使用中に、トイレ内のディスペンサ３００の材料３１２のセクションを視認することができる。本例では、図３Ａに示されるように、ケーシング３５０を各キャビティの上方に引き上げて、材料（図示せず）とケーシング３５０との間にさらなるヘッドスペースを作り出すことができる。このことは、さらなる水が材料に接触して、便器の処理を向上させ、ユーザが材料のセクションが便器内で作用していることを見るような視覚効果をさらに作り出すことを可能にしている。
【００３６】
図２Ａ〜図２Ｃに示された例とは異なり、個別のコンパートメント３０４は、個別のコンパートメント３０４の両側に開口３０９ａ、３０９ｂを有して形成されることができる。このことは、材料のセクションがトイレの水に溶解する速度を増大させる場合がある。さらにまた、個別のコンパートメント３０４は、涙滴形状で形成されることができる。しかしながら、本明細書での開示に従って、任意の他の形状が企図される。個別のコンパートメント３０４の涙滴形状は、ディスペンサ３００の流体力学的形状をもたらし、ディスペンサ３００上に流される水が、ディスペンサ３００をトイレの縁からトイレ内に押し退けることがなく、一方で個別のコンパートメント３０４及び各自の材料３１２セクションが十分に水に曝されることを確実にする。
【００３７】
先の例のように、コンパートメント３０４は、異なる配合及び色の材料を備えることができ、この場合、材料３１２の各セクションまたはブロックは、異なる機能（例えば洗浄、芳香剤等）を提供することができ、消費者にアピールするために異なる色及び／または芳香剤で設けられることができる。上記の例と同じように、材料は、個別のコンパートメントの総容積未満を充填してもよい。特に、個別のコンパートメント３０４は、個別のコンパートメント３０４を形成するタンクの約５０％〜９５％が充填されてもよい。これによって、水を個別のコンパートメント３０４内に進入させ、材料３１２の個別のブロックを溶解させることを考慮して、ケーシング３５０と、材料の個別のブロックとの間にヘッドスペースが作り出される。
【００３８】
本例では、図３Ａ及び図３Ｂに示されるように、壁３２０は、ケーシング３５０およびトレイ３０２の個別のコンパートメント３０４と一体的となるように成形される。上記の例と同じように、壁３２０は、個別のコンパートメント３０４を支持するように構成されることができ、多数の起伏をもって形成されることができる。しかしながら、本例では、壁３２０は、材料のより小さな細片で形成されることができ、個別のコンパートメント３０４及び壁３２０は、コンパートメントの各々の間の空隙を画定することができる。
【００３９】
壁３２０及び起伏は、ディスペンサが、水洗中に便器からのさらなる水流を取り込み、水を個別のコンパートメントの前部及び後部の開口３０９ａ、３０９ｂ内に導くことを可能にし得る。このように、水は、ディスペンサの開口３０９ａ、３０９ｂに流れ込み、材料の各セクションまたはブロックと相互作用する。これは、材料の各セクションを溶解させて、便器内部に処理剤を放出させる。さらに、水は、壁３２０によって画定された空隙及びその周囲に、また個別のコンパートメント３０４内に流れ込むことが可能である。
【００４０】
図２Ａ〜図２Ｃに関連して説明された上記の例と同じように、フックまたはハンガ３０６は、射出成型されることができ、便器の縁の前部または後部に取り付けられて、便器内にディスペンサ３００を吊設し得る。しかしながら、ハンガがケーシング３５０及びまたはトレイ３０２と一体となるように成形されることが企図される。また、上記の例と同様に、ディスペンサ３００は、ハンガ３０６の一端を受け入れるためのスロット３３０を備えることができる。また、ハンガの端は、ディスペンサから外れたハンガを維持するための屈曲部またはテーパ状部（図示せず）をさらに備えてもよい。開口３０９ａ、３０９ｂは、ディスペンサ３００の前部及び後部の両方に設けられているため、個別のコンパートメント３０４内の材料は、両側から視認することができ、ディスペンサの両側で流体に曝されることができる。したがって、消費者は、使用中に便器を処理するように機能している材料のブロックを見ることができ、このことは、ある特定の例において所望される場合がある。
【００４１】
代替的な例では、上記のディスペンサのうち１つ以上が、所定の角度を備えることができ、これによって、ディスペンサのトレイは、便器の中央に向かって角度を付けられる。加えて、壁は、同じ所定の角度を備えることができる。一例では、角度は、縁に対して約４５度であることができる。しかしながら、角度は、ディスペンサ上の所望の水流に依存して、０度〜１８０度までのいずれかであることができることが企図される。角度を付けられた壁及び起伏は、水をディスペンサの前部に導く助けとなる。水は、ディスペンサの前部に導かれると、材料の各セクションまたはブロックと相互作用して、処理剤を溶解させて放出することができる。
【００４２】
図４Ａ〜図４Ｅは、他の例示のディスペンサ４００を図示し、図２Ａ〜図３Ｇに関連して説明された例示のディスペンサと同様である。図４Ａは、例示のディスペンサ４００のアセンブリの分解図を示す。図４Ｂは、例示のディスペンサ４００の正面斜視図を示す。図４Ｃは、例示のディスペンサ４００の他の正面斜視図を示す。図４Ｄは、カバー４１０を適所に備えた状態の例示のディスペンサ４００の背面斜視図を示す。図４Ｅは、カバー４１０が取り除かれた状態の例示のディスペンサ４００の背面斜視図を示す。図４Ｆ〜図４Ｈは、例示の例えば例示のケーシングのための開口パターンの例を示す。図４Ｉは、例示のディスペンサ４００の左側面図を示す。
【００４３】
例示のディスペンサ４００は、図２Ａ〜図３Ｇに関連して説明された例示のディスペンサと同様の特徴及び機能性を含み、同図においては、同様の要素及び特徴を識別するために、同様の参照番号を用いている。上記の例と同じように、例示のディスペンサ４００は、トイレに装着されると、トイレで水が流されるたびに連続的な処理を提供するように構成される。本明細書で述べられた他の例のように、個別のコンパートメント４０４の各々が全体的に開かれて形成されることに代えて、ケーシング４５０（例えば膜、フィルム等）を設けて、ディスペンサ４００のコンパートメント４０４を覆うことができる。
【００４４】
図４Ａに示されるように、ディスペンサ４００は、全体として、クリップ４７０と一体的となるように成形されたトレイ４０２、ケーシング４５０、及びフック４０６を含む。図４Ａ〜図４Ｉに示されるように、トレイ４０２は、上記の例と同じように、壁４２０を含むことができ、これは個別のコンパートメント４０４を支持することができる。本例では、以下により詳細に述べられるように、クリップ４７０は、中央のコンパートメント４０４にスナップ嵌めされて、トレイ４０２上の適所にフック４０６を保持するように構成される。また、ケーシング４５０は、コンパートメント４０４上にトレイ４０２を固定するように構成される。
【００４５】
フックまたはハンガ４０６は、ディスペンサ４００の上部の近くに取り付けられることができ、便器の縁の前部または後部に取り付けられて、便器内にディスペンサ４００を吊設し得る。フックまたはハンガ４０６は、クリップ４７０とともに射出成型されることができる。本例では、図４Ｄによって示されるように、フック４０６及びクリップ４７０は、設置されたときにケーシング４５０が便器の壁に向かうように位置付けられることができる。しかしながら、本明細書で述べられた他の例によって例証されるように、設置されると、ケーシング４５０が便器の中央に向かって向けられるように構成されることができることがさらに企図される。トレイ４０２及びケーシング４５０が透明または不透明に形成されるようなある特定の例では、消費者は使用中に、トイレ内のディスペンサ４００の向きに関わらず、洗浄し、及び／または芳香を提供するように機能する材料４１２のブロックを見ることができる。
【００４６】
図４Ａ、図４Ｂ、図４Ｃ、及び図４Ｅ〜図４Ｇを特に参照し、また上述されたように、フック４０６は、クリップ４７０と一体成形されることができ、これは、例えば締まり嵌めによって、トレイ４０２に着脱可能に固定されることができる。一例では、クリップ４７０は、止め輪４７２を備えることができ、これは中央のコンパートメント４０４の周縁回りに延びる。図４Ｃに示されるように、中央のコンパートメント４０４は、止め輪４７２を通って延びるように構成される。
【００４７】
クリップ４７０は、トレイ４０２上にクリップ４７０を固定するためのタブ４７４をさらに備えることができる。タブ４７４は、トレイ４０２上に延び、縁４２２を通過して、それによって、クリップ４７０がトレイ４０２に固定されるようにすることができる。加えて、トレイ４０２は、フックアセンブリの対応する突出部４０７を受け入れるための位置決めスロット４０３を含むことができる。突出部４０７は、寸法において、スロット４０３よりもわずかに大きく形成されることができ、それによって、クリップはトレイ４０２上の適所に留まるようにされる。このように、タブ４７４及び止め輪４７２は、摩擦または締まり嵌めによって、クリップ４７０をトレイ４０２に固定することを助ける。また、ケーシング４５０は、トレイ４０２に接着されることができる。ハンガ４０６及びクリップ４７０は、反転可能に形成されることができ、それによって、ユーザは、トレイ４０２かあるいはケーシング４５０が便器の中央に向けられるように、トイレ内のディスペンサ４００を調整することができることがさらに企図される。
【００４８】
ある特定の例では、ハンガ４０６及びクリップ４７０は、便器内のディスペンサ４００の向きを変えることが所望される場合に、ケーシング４５０かあるいはトレイ４０２のいずれかの適所にスナップ嵌めされるように構成されることができることがさらに企図される。他の例では、ハンガ４０６及びクリップ４７０は、別個に形成されて、その後ディスペンサ４００に固定されることができる。さらに代替の例では、ハンガは、突出部またはクリップを有するかまたは有さずに、トレイ４０２またはディスペンサ４００とともに一体成形されることができる。
【００４９】
加えて、使用前に水分及び臭気または芳香剤に対するバリヤを設けることによって、材料４１２の個別のセクションを封止するためのカバー４１０を設けることができる。カバー４１０は、トレイ４０２がトイレの縁上に位置する前にユーザによって取り除かれるように構成されることができ、トレイ４０２からカバー４１０を取り除くことを容易にするためのタブ４１１または多数のタブを含んでもよい。ケーシング４５０及び／またはトレイ４０２は、カバー４１０上のタブ４１１を支持するための、対応するタブをさらに備えることができる。カバー４１０は、任意の好適な材料で作製されることができ、これは、一例では、本明細書で述べられたカバーに関連して述べられた材料のいずれかで形成されることができる。加えて、カバーは、ユーザが使用前にカバー４１０を取り除くことになっていることを示すためのある特定の印４１３を備えることができる。
【００５０】
本例では、トレイ４０２、ケーシング４５０、及びフック４０６は、熱形成されることができ、例えば１つ以上の材料シートの形状のプラスチック材料から、プラスチック材料を可鍛形成温度まで加熱して、それによってプラスチック材料が、ディスペンサ４００及びケーシング４５０を形成する型の特定の形状に形成されることができるようにすることによって形成されることができる。材料は、任意の好適なプラスチックから、任意の所望の色で形成されることができるか、または本明細書で述べられた例のように、透明なプラスチック材料で形成されることができる。さらに、一例では、例示のディスペンサ４００は、ＰＥＴで形成されることができる。一度形成されたトレイ４０２及びケーシング４５０をさらに調整して、最終製品を製作してもよい。トレイ４０２及びケーシング４５０は、トイレの湾曲に適応するように所定の曲率半径をもって形成されるか、または便器の湾曲に適応するように柔軟に形成されることができることがさらに企図される。
【００５１】
本例では、ケーシング４５０は、使用中はディスペンサ４００上に留まることが意図され、一連の開口４０９は、便器からの流体が材料４１２の個別のセクションと相互作用して、トイレ内部に材料のセクション４１２を溶解させることを考慮している。ケーシング４５０は、トレイ４０２の後部の上に位置することができ、接着剤によってトレイ４０２に固定されることができる。本例では、壁４２０及び縁４２２は、トレイ４０２に、ケーシング４５０を受け入れるための１つ以上の平ら面４３２を提供する。一例では、ケーシング４５０は、壁４２０の縁４２２に封止されることができる。本例では、壁４２０及び縁４２２は、面積４インチ２を画定することができる。他の例では、面積は、約２インチ２〜６インチ２の間であってもよい。さらに他の例では、面積は、設けられた寸法を上回るかまたはそれに満たなくてもよい。
【００５２】
ケーシング４５０は、個別のコンパートメント４０４の各々の開口部を少なくとも部分的に覆うように構成されることができる。ケーシング４５０は、個別のコンパートメント４０４を覆う領域内において、複数の開口部（またはスリット）４０９を備えることができる。一例では、個別のコンパートメント４０４の各々の開口部のサイズに対する開口またはスリット４０９のサイズは、トイレ内部に放出される配合物の所望の量に依存して変動することができる。ある特定の例では、複数のアパーチャそれぞれの面積を合計した総面積に対するスリット４０９の開口面積の比率は、４０％〜６０％の範囲におよぶ。他の特定の例では、複数のアパーチャをそれぞれ覆う領域に開口するスリット４０９の開口面積は、製品の総面積約４５％、５０％、または５２％であることができる。スリット４０９は、細長く形成されることができ、及び／または湾曲度をもって設けられてもよい。図４Ｄの例に示されるように、あるアパーチャ４０９は、三角形形状に形成されることができ、あるアパーチャ４０９は、互いに対して平行に延びる細長い開口として形成されることができる。
【００５３】
図４Ｅにさらに示されるように、本例では、ケーシング４５０は、外面４５１を含むことができ、これは、トイレ内のディスペンサ４００の外形を低減させるように略平らに形成されることができる。本明細書で述べられたある特定の例とは異なり、ケーシング４５０の平らな外形は、個別のコンパートメント４０４ごとの流体露出量を制限させて、それによって配合物が溶解する速度を遅くすることができる。ディスペンサ４００のより薄い外形もまた、ディスペンサを包装のためにより経済的にすることができる。
【００５４】
本例では、任意のケーシング４５０は、クリアな材料で形成されることができる。しかしながら、ケーシング４５０は、不透明であるかまたは着色されることもできる。ケーシング４５０は、フィルムとして形成されることもできる。ケーシング４５０は、熱形成または他の製造技術に任意の好適な材料で形成されることができ、本明細書で述べられた材料のいずれかで形成されてもよい。
【００５５】
本例では、コンパートメント４０４は、同じ配合及び色の材料４１２を備えることができる。しかしながら、上記の例と同じように、材料４１２の各セクションまたはブロックは、異なる機能（例えば洗浄、芳香剤等）を提供することができ、消費者にアピールするために異なる色及び／または芳香剤で設けられることができる。ある特定の例では、コンパートメント４０４は、１００％未満である配合物のある特定の体積パーセントまで充填されることができ、また一例では、体積パーセントは、５０％〜９５％におよぶことができる。これによって、ケーシングと配合物との間にある特定のヘッドスペースが設けられ、これは、トイレからの水が配合物と相互作用することを可能にしている。加えて、体積パーセントは、特定のコンパートメントに対して変動させることができる。
【００５６】
所望の水流、トイレ内の配合物の所望の溶解速度、及び消費者に対するアピールに依存して、他の開口配置が企図される。図４Ｆ〜図４Ｈは、例示されたケーシングのためのさらなる代替の開口配置を示す。図４Ｆに示されるように、ケーシング４５０Ａの開口４０９Ａは、上述のケーシング４５０と同様に形成されることができるが、傾斜した角度で形成されることができる。加えて、図４Ｇに示されるように、ケーシング４５０Ｂの開口４０９Ｂは、リボン状の構成で形成されることができ、この場合、開口はリボンのループに形成され、リボンの底部は、ケーシング４５０Ｂ上にエンボス加工されることができる。また、図４Ｈに示された別の例示のケーシング４５０Ｃでは、開口４０９Ｃは、図４Ｅに示された例と同様の形状で形成されることができるが、底部の開口４０９Ｃは、より大きく形成されることができ、開口の数はより少ない数にすることができる。
【００５７】
加えて、図４Ｂに示されるように、材料４１２のセクションがトイレの水に溶解する速度を制御するためのディスペンサの反対側の開口なしに、個別のコンパートメント４０４を形成することができる。コンパートメント４０４はさらに、消費者をディスペンサ４００の購入に引き込むために、ディスペンサ４００の外観を向上させるための装飾的なパターンまたは形状を備えることができる。具体的には、トレイ４０２の前部に、一連のエンボス加工４６６を設けることができる。代替的に、本明細書で述べられたある特定の例のように、コンパートメント４０４の両側に、開口部をさらに備え、材料４１２をより迅速な速度で便器内部に放出することを可能にすることができる。例えば、エンボス加工４６６は、エンボス加工の代わりに、開口またはスロットとして形成されることができる。
【００５８】
上述の例のように、個別のコンパートメント４０４は、涙滴形状で形成されることができる。しかしながら、本明細書での開示に従って、任意の他の形状が企図される。上記の例と同じように、涙滴形状の個別のコンパートメント４０４は、ディスペンサ４００の流体力学的形状をもたらし、ディスペンサ４００上に流される水が、ディスペンサ４００をトイレの縁からトイレ内に押し退けることがなく、一方で個別のコンパートメント４０４及び各自の材料４１２のセクションが十分に水に曝されることを確実にする。また、図４Ｅに示されるように、ディスペンサ４００の平らな外形は、後部側上よりも多くの水がディスペンサ４００の前側上を流れることを確実にすることができ、このことは、コンパートメント４０４内部の材料４１４がトイレ内に溶解する速さを制御する助けとなることができる。材料４１４が溶解することでトイレ内部に分注される配合物の所望の量に依存して、任意の数のコンパートメント４０４を用いることができることが企図される。本例では、５つのコンパートメント４０４が示される。コンパートメント４０４の各々は、約０．４インチ３の容積を画定することができ、約２．３インチ２の内部カップ面積を有することができる。他の例では、容積は、約０．２インチ３〜約０．６インチ３の間であってもよく、内部カップ面積は、約０．１平方インチ〜０．３平方インチの間であってもよい。さらに他の例では、容積及び内部カップ面積は、設けられた寸法を上回るかまたはそれに満たなくてもよい。ディスペンサ４００を用いるために、ユーザは、カバーの任意のタブ４１１を引いてケーシング４５０及びトレイ４０２からカバー４１０を剥離し、個別のコンパートメント４０４内の材料４１２を露出させることができる。そして、ユーザは、トイレの縁の上にディスペンサ４００を置くことができ、コンパートメント４０４内の材料４１２は、使用中にトイレからの水に曝されると、洗浄剤及び／または芳香剤を均一に放出する。
【００５９】
図５Ａ〜図５Ｄは、他の例示のディスペンサ５００を図示し、図４Ａ〜図４Ｉに関連して説明された例示のディスペンサと同様の特徴及び機能性を含み、同図においては、同様の要素及び特徴を識別するために同様の参照番号を用いている。図５Ａは、カバー５１０を適所に備えた状態の例示のディスペンサ５００の正面図を示す。図５Ｂは、カバー５１０が取り除かれた状態の例示のディスペンサ５００の正面図を示す。図５Ｃは、ディスペンサ５００の背面図を示す。図５Ｄは、例示のディスペンサ５００の左右斜視図を示す。
【００６０】
例示のディスペンサ５００は、上述のディスペンサと同様の特徴を有する。しかしながら、本例では、トレイ５０２は、熱形成されることができ、ケーシング５５０は、射出成型されることができる。トレイ５０２を形成する材料は、熱形成に好適な任意の好適なプラスチックから、任意の所望の色で形成されることができるか、または本明細書で述べられた例のように、透明または半透明のプラスチック材料で形成されることができる。さらに、一例では、例示のトレイ５０２は、ＰＥＴで形成されることができる。ケーシング５５０を形成する材料は、本明細書で述べられた例のいずれかを含む任意の好適なプラスチックから、任意の所望の色で形成されることができるか、または本明細書で述べられた例のように、透明なプラスチック材料で形成されることができる。また、上記の例と同じように、トレイ５０２及びケーシング５５０は、トイレの湾曲に適応するように所定の曲率半径をもって形成されるか、または便器の湾曲に適応するように柔軟に形成されることができることが企図される。
【００６１】
図４Ａ〜図４Ｉに関して上述された例とは異なり、図５Ｂによって示されるように、フック５０６は、設置されると、ケーシング５５０が便器の中央に向かって向けられるように位置付けられることができる。本例では、消費者は使用中に、ケーシング５５０に形成されたスロットまたは開口５０９を通して、洗浄し、及び／または芳香を提供するように機能する材料５１２のブロックを見ることができる。しかしながら、本明細書で述べられた他の例によって例示されるように、ケーシング５５０は、設置されると反対方向に向けられるように構成されることができることがさらに企図される。
【００６２】
図４Ａ〜図４Ｉに関連して説明された上記の例と同じように、フックまたはハンガ５０６は、射出成型されることができ、便器の縁の前部または後部に取り付けて、便器内にディスペンサ５００を吊設し得る。しかしながら、本例では、ディスペンサ上にハンガ５０６を留めるためのクリップを設けることに代えて、射出成型プロセスを通して、ハンガ５０６を受け入れるための突出部５５５を、ケーシング５５０と一体的に成形することができる。図５Ｂ及び図５Ｄに示されるように、突出部５５５は、ケーシング５５０の壁５２０から延び、フック５０６の取付台を提供する。突出部５５５は、ハンガ５０６の一端を受け入れて、ハンガ５０６をディスペンサ５００の適所に固定するためのスロット５５７を備えることができる。しかしながら、ハンガは、ケーシング５５０と一体的に形成されることが企図される。
【００６３】
上記の例と同様に、ディスペンサ５００がトイレ内部に位置する前に、ユーザは、ケーシング５５０上の対応するタブ５５２に隣接するタブ５１１を引くことによって、ディスペンサ５００からカバー５１０を取り除く。一度カバーが取り除かれると、ユーザはその後、フック５０６によってディスペンサをトイレ内に吊設することができる。
【００６４】
図６Ａ〜図６Ｆは、他の例示のディスペンサ６００を図示し、図４Ａ〜図４Ｉに関連して説明された例示のディスペンサと同様の特徴及び機能性を含めて同様であり、同図においては、同様の要素を識別するために同様の参照番号を用いている。図６Ａは、カバー６１０を適所に備えた状態の例示のディスペンサ６００の正面斜視図を示す。図６Ｂは、カバー６１０を適所に備えた状態のディスペンサ６００の背面斜視図を示す。図６Ｃは、例示のディスペンサ６００の底面斜視図を示し、ケーシング６５０が開位置で示される。図６Ｄは、閉位置でのケーシング６５０を備えた状態の例示のディスペンサ６００の左側面図を示す。図６Ｅは、開位置でのケーシング６５０を備えた状態の例示のディスペンサ６００の左側面図を示す。図６Ｆは、開位置でのケーシングを備え、カバー６１０が部分的に取り除かれた状態の例示のディスペンサ６００の左側面図を示す。
【００６５】
さらには、例示のディスペンサ６００は、上述されたディスペンサと同様の特徴及び機能性を有することができる。しかしながら、本例では、ケーシング６５０は、数個のヒンジ６６０によってトレイ６０２に接続されることができ、それによって、ケーシング６５０が開かれて、カバー６１０を取り除くことができる。また、ケーシング６５０とトレイ６０２との間にカバー６１０を設け、それによって、ユーザは、カバー６１０を取り除く前にケーシング６５０を開かなければならない。一度カバー６１０が取り除かれると、ケーシング６５０が閉じられてトレイ６０２を覆うことができ、ディスペンサ６００がトイレの内部に位置することができる。加えて、図４Ａ〜図５Ｄに関連して述べられた例とは異なり、ケーシング６５０は、上記の例と同じように平らに延びることに代えて、ディスペンサ６００の前部から外側に突出するように、外側湾曲をもって形成されることができる。
【００６６】
図６Ａ及び図６Ｂに示されるように、いくつかのヒンジ６６０を設けて、それによって、ユーザは、ディスペンサ６００を用いる前に、ケーシング６５０を開けてトレイ６０２からカバー６１０を剥離することができるようになる。図６Ｂに示されるように、一例では、ヒンジ６６０は、トレイ６０２壁６２０上の対応する開口６２１内に延びる輪またはフック様の要素として形成されることができる。しかしながら、ケーシング６５０をトレイ６０２に接続するための他のヒンジタイプ、例えば、リビングヒンジ、連続ヒンジ等がさらに企図される。
【００６７】
図６Ｃにさらに示されるように、ケーシング６５０は、ケーシング６５０の底部中央に位置付けられた係止タブ６６２を備えることができ、これはケーシング６５０をトレイ６０２に固定するために用いられることができる。図６Ｅ及び図６Ｆを参照すると、係止タブ６６２は、ケーシング６５０から下向きに延びて、ユーザにトレイ６０２からケーシング６５０を取り除くことを容易にするための把持部を提供する部分６６３を含むことができる。ケーシング６５０は、ケーシングの長さに沿って、ケーシング６５０をトレイ６０２上の適所に固定するためのいくつかの係止タブを備えることができる。加えて、図示しないが、係止タブ６６２は、テーパ状面を含むことができ、及び／またはトレイ６０２は、ケーシング６５０をトレイ６０２上の適所に維持することを助けることができる、係止タブ６６２のための対応する開口または凹部を備えることができる。他のさらなる例では、係止タブは、ケーシング６５０をトレイ６０２に固定するために、トレイ６０２上に位置することもでき、またはトレイ６０２及びケーシング６５０は、代替の留め金システムまたは装置を備えることができ、これは、ディスペンサ６００を取り除いて用いるための、カバー６１０及び個別のコンパートメント６０４へのアクセス可能性を提供する。他の代替の例では、ケーシング６５０は、各々がヒンジ及び係止タブを含むことができる個別のセクションで形成されることができ、それによって個別のセクションが別個に開かれることができるようにされる。
【００６８】
また、上述の例と同じように、トレイ６０２は、熱形成されることができ、ケーシング６５０は射出成型されることができる。トレイ６０２を形成する材料は、熱形成に好適な任意の好適なプラスチックから、任意の所望の色で形成されることができるか、または本明細書で述べられた例のように、透明または半透明のプラスチック材料で形成されることができる。さらに、一例では、例示のトレイ６０２は、ＰＥＴで形成されることができる。ケーシング６５０を形成する材料は、本明細書で述べられた例のいずれかを含む任意の好適なプラスチックから、任意の所望の色で形成されることができるか、または本明細書で述べられた例のように、透明なプラスチック材料で形成されることができる。また、上記の例と同じように、トレイ６０２及びケーシング６５０は、トイレの湾曲に適応するように所定の曲率半径をもって形成されるか、または便器の湾曲に適応するように柔軟に形成されることができることが企図される。
【００６９】
図４Ａ〜図４Ｉに関連して説明された上記の例と同じように、フックまたはハンガ６０６は、射出成型されることができ、便器の縁の前部または後部に取り付けて、便器内にディスペンサ６００を吊設し得る。しかしながら、ハンガ６０６は、ケーシング６５０と一体成形されることがさらに企図される。射出成型された突出部６５５は、壁６２０から延び、フック６０６の取付台を提供することができる。特に、突出部６５５は、ハンガ６０６の一端を受け入れて、ハンガ６０６をディスペンサ６００上の適所に固定するためのスロットを備えることができる。
【００７０】
図６Ａ及び図６Ｂによって示されるように、フック６０６は、設置されたときにケーシング６５０が便器の中央に向かうように位置付けられることができる。本例では、消費者は、使用中に、ケーシング６５０に形成されたスロットまたは開口部６０９を通して、洗浄し、及び／または芳香を提供するように機能する材料のブロック６１２を見ることができる。しかしながら、本明細書で述べられた他の例によって例示されるように、ケーシング６５０は、設置されると反対方向に向けられるように構成されることができることがさらに企図される。
【００７１】
加えて、上記で示された例と同様に、個別のコンパートメント６０４は、ゲル、ペースト、及び／または固形の形状であることができる材料６１２の個別のセクションを受けるように構成される。ケーシング６５０は、トレイ６０２とケーシング６０５との間にヘッドスペースを形成するような湾曲度を備えることができる。これは、さらなる水が材料６１２の個別のセクションと接触することを考慮しており、このことは、材料６１２のセクションをトイレの水に溶解させる速度を増大させることができる。
【００７２】
上記の例と同じように、トレイ６０２及びケーシング６５０もまた、消費者をディスペンサ６００の購入に引き込むために、ディスペンサ６００の外観を向上させるための装飾的なパターンまたは形状を備えることができる。上記の例と同じように、トレイ６０２の前部に、一連のエンボス加工６６６を設けることができ、これは、ケーシング６５０に形成された開口６０９に対応し得るかまたはそれと同様であることができる。代替的に、本明細書で述べられたある特定の例のように、ディスペンサ６００の両側に開口部をさらに設け、材料６１２をより迅速な速度で便器内部に放出することを可能にすることができる。
【００７３】
ディスペンサ６００を用いるために、ユーザは、ケーシング６５０をトレイ６０２から離れるほうに回転させて係止タブ６６２を解放し、ディスペンサ６００を開いてカバー６１０を露出させることによって、ケーシング６５０を取り除くことができる。図６Ｅ及び図６Ｆに示されるように、一度ケーシング６５０をトレイ６０２から離れるほうに回転させると、ユーザは、ケーシング６５０上の対応するタブ６５２に隣接するタブ６１１を引いて、カバー６１０をトレイ６０２から離れるほうに剥離することによって、カバー６１０を取り除くことができる。カバー６１０がトレイ６０２から取り除かれた後、ユーザはその後、トレイ６０２及びケーシング６５０をともに押圧して、それによって係止タブ６６２を係合させることによって、トレイ６０２及びケーシング６５０を固定することができる。そして、ユーザは、使用のためにディスペンサ６００をトイレ内に置くことができる。ユーザは、トレイ６０２からケーシング６５０を取り除くことによって、コンパートメント６０４を配合物で再充填することができることがさらに企図される。例えば、再充填する配合物は、ディスペンサ６００とともに供給されるか、またはそれとは別個に供給されることができる。このように、ユーザは、ディスペンサ６００を繰り返し再利用することができる。
【００７４】
図７は、代替の例示のディスペンサ７００を示し、これは、同様の特徴及び機能性を含むことができる上記の例示のディスペンサと同様であり、同図においては、同様の要素を識別するために同様の参照番号を用いている。しかしながら、本例では、トレイ７０２壁７２０は、ディスペンサ７００がオープンリム型及びボックスリム型の両方のトイレで作用することを助ける一連の水偏向部７８０を備えることができる。ボックスリム型トイレは、通常は、縁の下側周りに、水をトイレの便器内部に導く孔を備える閉じられたウォーターリムを有する。水偏向部７８０は、ディスペンサの前部または後部を越える水をそれらの向きに依存して偏向させることを助け、水がケーシング７５０のスロット７０９に入り込むことを確実にすることができる。水偏向部７８０は、所定の角度を備え、それによって、水がディスペンサを越えてスロット７０９の中へ及び正しく案内されるようにすることができる。一例では、水偏向部７８０は、壁７２０に対して３０度〜６０度の角度をもって向けられることができる。１つの特定の例では、水偏向部７８０は、壁７２０に対して４５度の角度をもって向けられることができる。さらに、水偏向部７８０は、上部から底部にかけてテーパ状に形成されることができ、これは、所望の量の水がスロット７０９に集まることを助ける。他の例では、水偏向部７８０は、三角形状に形成されることができる。しかしながら、スロット７０９の中に導くことが所望される水の量に依存して、他の好適な形状が企図される。
【００７５】
図８は、他の例示のディスペンサ８００を示し、これは、同様の特徴及び機能性を含むことができる上記の例示のディスペンサと同様であり、同図においては、同様の要素を識別するために同様の参照番号を用いている。本例は、図７に関連して上述された例と同様である。しかしながら、本例では、単一の水偏向部８８０を設けて、ディスペンサ８００の前部または後部を越える水をそれらの向きに依存して偏向させることを助け、水がケーシング８５０のスロット８０９の中に進行することを確実にすることができる。上記の例と同じように、水偏向部８８０は、所定の角度を備え、それによって、水がディスペンサを越えてスロット７０９の中へ及び正しく案内されるようにすることができる。一例では、水偏向部８８０は、壁８２０に対して３０度〜６０度の角度をもって向けられることができ、１つの特定の例では、水偏向部８８０は、壁７２０に対して４５度の角度をもって向けられることができる。図７及び８に示された特定のディスペンサに加えて、図７及び８の水偏向部を、本明細書で述べられた例示のディスペンサのいずれかと併用して、オープンリム型及びボックスリム型トイレの両方に適応させることができることが企図される。
【００７６】
本明細書で述べられた例に関連して、材料の各セクションまたはブロックは、異なる機能（例えば洗浄、芳香剤等）を提供することができ、異なる色であることができる。異なる材料の縁ブロックを形成することによって、消費者に異なる利点をもたらすことができる。例えば、消費者は、トイレを清潔に保ち、家族が使うために常に整えられることを望む。異なる材料の材料セクションを形成することによって、縁ブロックは、効果的に汚れを取り除き、臭気を取り除いて、ユーザに快い芳香を提供することができる。また、セクションのうち１つは、泡立つように構成されることができ、これは、ユーザに対して製品が作用していることを再確認させるための視覚的キューである。
【００７７】
本明細書で述べられたディスペンサコンポーネントの例は、単層シートまたは多層ラミネートシートで作製されることができる。材料は、さまざまな製品供給、包装、マーケティング、及びさまざまな他のビジネス上考慮すべき点に望ましいと考えられるように、透明、半透明、または不透明であることができる。材料の非限定的な例は、熱融着性熱可塑性プラスチック材料、たとえばポリエチエレン、ポリプロピレン、またはＲＰＥＴを含む。概してサンドイッチ構造を有する積層ラミネートは、ポリエチエレン、セロハン、紙、ポリエステル等の、それらの変形を含む任意の組み合わせまたは順番を含むことができる。材料及びそれらの厚さの選択は、包装される材料の性質によって判定される。生分解性材料の選択は、概して天然好気性及び嫌気性の両方の環境での分解の考慮を含む。特にプラスチック材料については、生分解性は、微生物よって、環境に最小限の影響力を有する不活性材料に変化させることができる材料によって達成される。加えて、生分解性または他の環境配慮型の材料は、水溶性材料を含むことができる。任意の特定の理論によって限定されることなく、水溶性材料は、水の存在下で分解または溶解する材料である。水溶性材料の非限定的な例は、水溶性ポリマー、特にフィルム形成に有用な、ポリビニルアルコール、セルロースエーテル等のポリマーを、個別に、あるいはさまざまな組み合わせで含むが、必ずしもこれらに限定されない。従来技術で概して周知であるように、さまざまな添加剤を水溶性ポリマーに混和させて、分解及び溶解を所望のように変えることができる。
【００７８】
一例では、ディスペンサシステムは、配合物を含有する少なくとも１つのコンパートメントを備えるトレイを含んでもよい。配合物は、洗浄剤または芳香剤のうち一方を含むことができる。ハンガは、トレイを便器の縁から吊設するように構成されることができ、それによって、トイレで水が流されると、トイレからの水が配合物と接触して、洗浄剤または芳香剤のうちの１つが放出されるようにされる。カバーは、水分及び芳香剤から、少なくとも１つのコンパートメントを封止するように構成されることができる。一例では、トレイは、内部に含有された複数の配合物を有する複数のコンパートメントを含むことができ、複数の配合物のうちの少なくとも１つは、複数の配合物のうちの別の１つとは異なることができる。複数の配合物のうちの少なくとも１つは、複数の配合物の別の１つとは異なる色を有することができる。一例では、コンパートメントは、楕円形形状であることができる。カバーは、包装に組み込まれることができ、それによって、トレイが包装から取り除かれると、少なくとも１つのコンパートメントが露出するようにする。トレイ及び少なくとも１つのコンパートメントは、透明であることができ、かつ包装の一部を形成することができる。加えて、コンパートメントは、カップの形状であることができ、配合物はカップ内部に位置することができる。
【００７９】
一例では、ディスペンサシステムは、洗浄剤または芳香剤のうちの一方を含む少なくとも１つの配合物と、配合物を覆う多孔質材と、便器の縁からディスペンサを吊設するように構成されたハンガとを備えることができる。一例では、多孔質材は、一連の孔、アパーチャまたはこれらの組み合わせを有するメッシュ材であることができ、これは水洗中に配合物をトイレからの水に曝して、洗浄剤または芳香剤のうちの少なくとも１つを放出させることができる。カバーは、メッシュ材及び配合物を包み込むように構成されることができ、水分及び芳香剤からメッシュ材及び配合物を封止するように構成されることができる。配合物は、プリズムまたはシリンダの形状であることができる。一例では、ディスペンサシステムは、複数の配合物を含むことができ、複数の配合物のうちの少なくとも１つは、複数の配合物のうち別の１つとは異なることができる。複数の配合物のうちの少なくとも１つは、複数の配合物の別の１つとは異なる色を有することができる。配合物は、複数の層で配置されることができ、複数の配合物は、押出動作によって形成されることができる。
【００８０】
一例では、ディスペンサシステムは、洗浄剤または芳香剤のうち１つを含む少なくとも１つの配合物と、配合物のバッキングを提供する多孔質材料と、便器の縁から多孔質材料を吊設するように構成されたハンガとを含むことができる。加えて、多孔質材料は、一連の開口、孔、アパーチャまたはこれらの組み合わせを有するメッシュ材であることができ、これは水洗中に配合物をトイレからの水に曝して、洗浄剤または芳香剤のうちの少なくとも１つを放出させることができる。カバーは、メッシュ材及び配合物を包み込むように構成されることができ、カバーは、使用前に水分及び芳香剤からメッシュ材及び配合物を封止する。配合物は、矩形形状であることができる。一例では、ディスペンサは、複数の配合物を含むことができ、複数の配合物のうちの少なくとも１つは、複数の配合物のうち別の１つとは異なることができる。複数の配合物のうちの少なくとも１つは、複数の配合物のうち別の１つとは異なる色を有することができる。
【００８１】
別の例では、ディスペンサシステムは、配合物を有する少なくとも１つの涙滴形状のコンパートメントを有するトレイを含み得る。コンパートメントは、流体を受け入れるためのアパーチャを含んでもよく、配合物は、洗浄剤または芳香剤のうちの一方を含んでもよい。ハンガは、便器の縁からトレイを吊り下げるために設けられることができる。流体が配合物と相互作用して、配合物を流体に溶解させることを考慮して、少なくとも１つのコンパートメントの少なくとも一部と、配合物の少なくとも一部とを覆うように構成されたケーシングがさらに設けられてもよい。一例では、トレイ及びカバーは、熱形成されることができる。別の例では、トレイは、熱形成されることができ、ケーシングは、射出成型されることができる。代替的に、トレイ及びカバーは、両方とも射出成型されることができる。
【００８２】
別の例では、ディスペンサシステムは、内部に複数の配合物が格納された複数のコンパートメントを有するトレイを含むことができ、複数の配合物のうちの少なくとも１つは、複数の配合物のうちの別の１つとは異なることができる。複数の配合物のうちの少なくとも１つは、複数の配合物のうち別の１つとは異なる色を有していてもよい。トレイは、壁をさらに含んでもよく、壁は、一連の起伏を含んでもよい。壁の少なくとも一部は、複数のコンパートメント上に延びることができる。また、壁及び複数のコンパートメントは、一連の空隙を形成することができる。ケーシングは、流体が少なくとも１つのコンパートメントに流れ込み、流体に配合物を溶解させることを考慮した、少なくとも１つのスリットまたは開口部をさらに含んでもよい。ケーシングは、他の例において複数のスリットを含み得る。
【００８３】
別の例では、ディスペンサシステムは、配合物を有する少なくとも１つのコンパートメントを有するトレイを含み得る。コンパートメントは、流体を受け入れるためのアパーチャを含むことができ、配合物は、洗浄剤または芳香剤のうちの一方であることができる。ハンガは、便器の縁からトレイを吊り下げるように構成されることができ、ケーシングは、少なくとも１つのコンパートメントの少なくとも一部及び配合物の少なくとも一部を覆い、流体が流れて配合物と相互作用することを可能にするように構成されることができる。一例では、トレイ及びカバーの両方が、熱形成される。代替の例では、トレイは、熱形成されることができ、ケーシングは、射出成型されることができる。
【００８４】
別の例では、ディスペンサシステムは、内部に複数の配合物が格納された複数のコンパートメントを含むことができ、複数のコンパートメントの一つ一つが、開口部を有することができる。複数のコンパートメントの一つ一つが、複数の細長い開口部を有することができる。一例では、複数の配合物のうちの少なくとも１つは、複数の配合物のうち別の１つとは異なる。また、複数の配合物のうちの少なくとも１つは、複数の配合物の別の１つとは異なる色を有することができる。コンパートメントは、涙滴形状であることができる。壁の少なくとも一部は、複数のコンパートメントの上に延びることができる。
【００８５】
ケーシングは、複数のコンパートメントにそれぞれ設けられた個々の開口部を覆うことができる。ケーシングは、流体が少なくとも１つのコンパートメントに流れ込んで、流体に配合物を溶解させることを可能にするための少なくとも１つのスリットまたは開口部をさらに含むことができるか、またはケーシングは、流体が少なくとも１つのコンパートメントに流れ込んで、配合物を溶解させることを可能にするための複数のスリットを含むことができる。ディスペンサは、水をディスペンサの前部あるいは後部のいずれかの上に偏向させるかまたは導いて、水がスリット内に導かれることを確実にするための１つ以上の水偏向部をさらに含むことができる。
【００８６】
一例では、ケーシングは、トレイから取り除き可能であるように構成されることができる。特に、ケーシングは、ケーシングをトレイに接続するヒンジを含むことができ、ヒンジは、トレイからケーシングを取り除くために開かれるように構成されることができる。ヒンジは、少なくとも１つのフックを含み得る。カバーは、トレイとケーシングとの間に位置することができ、それによって、ケーシングがトレイから取り除かれると、カバーを取り除くことができるようにされる。ケーシングは、ケーシングをトレイに固定するための係止タブと、ケーシングをトレイから取り除くことを簡易にするための把持部とをさらに含み得る。別の例では、ケーシングは、トレイとケーシングとの間にヘッドスペースを形成するような湾曲度を備えることができる。別の例では、ケーシングは平らに形成されることができ、ケーシングは、流体を受け入れて配合物と相互作用させるように構成された一連のスロットを含むことができる。
【００８７】
別の例では、ハンガは、クリップに装着されることができ、クリップは、トレイの少なくとも１つのコンパートメント上に受け入れられる。クリップは、ハンガを受け入れるための突出部を含み得る。クリップは、トレイから取り除き可能であるように構成されることができる。ハンガは、トレイあるいはケーシングに接続して、トイレ内のディスペンサを、内側あるいは外側に向くように向けさせるように構成されることができる。
【００８８】
例示のディスペンサシステムは、洗浄剤または芳香剤のうちの１つを含み得る配合物を収容している少なくとも１つのコンパートメントを有するトレイを含んでもよく、コンパートメントは、流体に対して閉じられた第１の側と、流体に対して開かれた第２の側とを有することができる。第２の側は、配合物を受け入れるためのアパーチャを画定することができる。例示のディスペンサは、便器の縁からトレイを吊設するように構成されたハンガと、トレイに装着してアパーチャを覆うように構成されたケーシングとを含むことができる。ケーシングは、流体が配合物と相互作用して、配合物を流体に溶解させることを考慮して、少なくとも１つの開口部を含むことができる。加えて、カバーは、コンパートメントのアパーチャを封止することができる。
【００８９】
ハンガは、クリップと一体成形されることができ、クリップは、トレイから取り除き可能であることができる。クリップは、止め輪を含むことができ、トレイの少なくとも１つのコンパートメントは、クリップに形成されたリングを通して延びるように構成されることができる。クリップは、クリップをトレイに固定するためのタブ及び少なくとも１つの突出部をさらに含むことができる。コンパートメントは、涙滴形状に形成されることができる。コンパートメント内の配合物は、所定の間隔を隔てて配置されることで、ヘッドスペースを画定することができる。配合物は、コンパートメントの５０％〜９５％を充填して、ヘッドスペースを形成することができる。
【００９０】
一例では、トレイは、内部に複数の配合物が格納された複数のコンパートメントを有するトレイを含むことができ、複数のコンパートメントの一つ一つが、第１の側と第２の側とを有することができ、第１の側は、流体に対して閉じられることができ、第２の側は、流体を受け入れるためのアパーチャを画定することができる。複数の配合物のうちの少なくとも１つは、複数の配合物のうちの別の１つとは異なることができる。複数の配合物のうちの少なくとも１つは、複数の配合物の別の１つとは異なる色を有することができる。ケーシングは、複数のコンパートメントに設けた個々のアパーチャを覆うことができ、ケーシングは、流体が配合物と相互作用して、配合物を流体に溶解させることを考慮して、複数の開口部を画定することができる。ケーシングの複数の開口部は、アパーチャを露出させる開口面積を画定し、アパーチャを覆って開口する開口面積は、アパーチャの総面積の４０％〜６０％に及ぶことができる。
【００９１】
一例では、ケーシングは、トレイから取り除き可能であることができる。ヒンジは、ケーシングをトレイに接続させることができ、ヒンジは、ケーシングをトレイから取り除くために開かれるように構成されることができる。カバーは、トレイとケーシングとの間に位置することができ、それによって、ケーシングがトレイから取り除かれるとカバーを取り除くことができるようにされる。
【００９２】
ディスペンサシステムを形成するための例示の方法は、少なくとも１つのコンパートメントを有するトレイを形成することと、流体に対して閉じられた第１の側と、流体に対して開かれた第２の側とを有するコンパートメントを形成することと、第２の側にアパーチャを設けることと、コンパートメントに洗浄剤または芳香剤のうちの１つを含む配合物を供給することと、便器の縁からトレイを吊設するように構成されたハンガを設けることと、アパーチャを覆うために、トレイにケーシングを装着することと、流体を配合物と相互作用させて、配合物を流体に溶解させることを可能にするために、ケーシングに少なくとも１つの開口部を設けることと、コンパートメントのアパーチャをカバーで封止することとを含み得る。ケーシングは、平らに形成されることができ、ケーシングは、流体を受け入れ、アパーチャの中へと導いて配合物と相互作用させるように構成された複数の開口部を含み得る。本方法は、ハンガをクリップと一体成形することと、クリップをトレイから取り外し可能に構成することとをさらに含み得る。
【００９３】
本方法は、トレイに複数のコンパートメントを設けることと、複数のコンパートメントを複数の配合物で充填することとをさらに含んでもよく、複数のコンパートメントの一つ一つが、第１の側と第２の側とを有し、第１の側は、流体に対して閉じられ、第２の側は、流体を受け入れるためのアパーチャを画定することと、複数の配合物のうちの少なくとも１つを複数の配合物の別の１つとは異なるように形成することと、複数のコンパートメントの一つ一つのアパーチャをケーシングで覆うことと、流体が複数の配合物と相互作用することを可能にするために、ケーシングに複数の開口部を設けることと、を含み得る。ケーシングの複数の開口は、アパーチャにわたる開口面積を画定することができ、開口面積は、アパーチャの総面積の４０％〜６０％におよぶことができる。コンパートメント内の配合物は、ケーシングから所定の間隔を隔てて配置されることができ、本方法は、コンパートメントの少なくとも５０％〜９５％を配合物で充填することを含むことができる。
【００９４】
本開示は、開示された実施形態に限定されない。反対に、本開示は、さまざまな変更及び等価の配置をカバーすることが意図される。
【図１Ａ】
2017526839.tif 000003
【図１Ｂ】
2017526839.tif 000004
【図２Ａ】
2017526839.tif 000005
【図２Ｂ】
2017526839.tif 000006
【図２Ｃ】
2017526839.tif 000007
【図３Ａ】
2017526839.tif 000008
【図３Ｂ】
2017526839.tif 000009
【図３Ｃ】
2017526839.tif 000010
【図３Ｄ】
2017526839.tif 000011
【図３Ｅ】
2017526839.tif 000012
【図３Ｆ】
2017526839.tif 000013
【図３Ｇ】
2017526839.tif 000014
【図４Ａ】
2017526839.tif 000015
【図４Ｂ】
2017526839.tif 000016
【図４Ｃ】
2017526839.tif 000017
【図４Ｄ】
2017526839.tif 000018
【図４Ｅ】
2017526839.tif 000019
【図４Ｆ】
2017526839.tif 000020
【図４Ｇ】
2017526839.tif 000021
【図４Ｈ】
2017526839.tif 000022
【図４Ｉ】
2017526839.tif 000023
【図５Ａ】
2017526839.tif 000024
【図５Ｂ】
2017526839.tif 000025
【図５Ｃ】
2017526839.tif 000026
【図５Ｄ】
2017526839.tif 000027
【図６Ａ】
2017526839.tif 000028
【図６Ｂ】
2017526839.tif 000029
【図６Ｃ】
2017526839.tif 000030
【図６Ｄ】
2017526839.tif 000031
【図６Ｅ】
2017526839.tif 000032
【図６Ｆ】
2017526839.tif 000033
【図７】
2017526839.tif 000034
【図８】
2017526839.tif 000035
【国際調査報告】
2017526839.tif 000036
2017526839.tif 000037